【手続補正書】
【提出日】平成17年2月7日(2005.2.7)
【手続補正１】
【補正対象書類名】明細書
【補正対象項目名】発明の名称
【補正方法】変更
【補正の内容】
【発明の名称】ネットワークインタフェース、プリンタ装置及びネットワークシステム
【手続補正２】
【補正対象書類名】明細書
【補正対象項目名】特許請求の範囲
【補正方法】変更
【補正の内容】
【特許請求の範囲】
【請求項１】
ネットワークとプリンタ装置の間に設けられたネットワークインタフェースであって、
前記ネットワークに接続された他のプリンタ装置とデータの通信を行う通信手段と、
前記プリンタ装置に記憶されている情報を前記ネットワークに接続されている前記他のプリンタ装置に開示する開示手段と、
前記ネットワークに接続されている前記他のプリンタ装置の情報を検出するネットワークリソース検出手段と、
画像データの印刷処理を前記ネットワークに接続されている前記他のプリンタ装置に分散する印刷処理分散手段と、
を備えることを特徴とするネットワークインタフェース。
【請求項２】
前記プリンタ装置に接続される際に、前記プリンタ装置に着脱可能に実装されることを特徴とする請求項１記載のネットワークインタフェース。
【請求項３】
ネットワークインタフェースを実装し、ネットワークに接続されるプリンタ装置において、
前記ネットワークインタフェースは、請求項１または２記載のネットワークインタフェースであることを特徴とするプリンタ装置。
【請求項４】
複数のプリンタ装置と、該複数のプリンタ装置を接続するネットワークとを備えるネットワークシステムにおいて、
前記複数のプリンタ装置は、請求項３記載のプリンタ装置であることを特徴とするネットワークシステム。
【請求項５】
ネットワークに接続される他の装置と通信可能な通信手段と、
接続される装置における自己の情報を前記他の装置に開示する開示手段と、
前記ネットワークに接続されている前記他の装置の情報を検出するネットワークリソース検出手段と、
処理を前記ネットワークに接続されている前記他の装置に分散する処理分散手段と、
を有することを特徴とするネットワークインタフェース。
【請求項６】
ネットワークに接続される他のプリンタ装置とデータの通信を行う通信手段と、
接続されるプリンタ装置に記憶されている自己の情報を、前記ネットワークに接続される前記他のプリンタ装置に開示する開示手段と、
前記ネットワークに接続される前記他のプリンタ装置の情報を検出するネットワークリソース検出手段と、
画像データの印刷処理を前記ネットワークに接続される前記他のプリンタ装置に分散する印刷処理分散手段と、
を有することを特徴とするネットワークインタフェース。
【請求項７】
前記ネットワークインタフェースは、カード状に形成されてなることを特徴とする請求項５または６記載のネットワークインタフェース。
【請求項８】
請求項７記載のネットワークインタフェースが装着可能なスロット部と、
自己の情報を含むネットワーク情報を記憶する記憶部と、を有することを特徴とするプリンタ装置。
【請求項９】
複数の装置がネットワークにて接続されるネットワークシステムであって、
前記複数の装置は、自己の情報を含むネットワーク情報を記憶する記憶部を有し、各々の装置がそれぞれネットワークインタフェースに接続されており、
前記ネットワークインタフェースは、前記ネットワークに接続される他の装置と通信可能な通信手段と、接続される装置における自己の情報を前記他の装置に開示する開示手段と、前記ネットワークに接続されている前記他の装置の情報を検出するネットワークリソース検出手段と、処理を前記ネットワークに接続されている前記他の装置に分散する処理分散手段と、を有することを特徴とするネットワークシステム。
【請求項１０】
複数のプリンタ装置がネットワークにて接続されるネットワークシステムであって、
前記複数のプリンタ装置は、自己の情報を含むネットワーク情報を記憶する記憶部を有し、各々のプリンタ装置がそれぞれネットワークインタフェースに接続されており、
前記ネットワークインタフェースは、前記ネットワークに接続される他のプリンタ装置と通信可能な通信手段と、接続されるプリンタ装置における自己の情報を前記他のプリンタ装置に開示する開示手段と、前記ネットワークに接続されている前記他のプリンタ装置の情報を検出するネットワークリソース検出手段と、処理を前記ネットワークに接続されている前記他のプリンタ装置に分散する処理分散手段と、を有することを特徴とするネットワークシステム。
【手続補正３】
【補正対象書類名】明細書
【補正対象項目名】００１６
【補正方法】変更
【補正の内容】
【００１６】
また、ネットワークインタフェースの機能を拡張することによって、プリンタ装置の機能を拡張することができ、プリンタ装置のコストを増加させずに、機能を拡張することができる。また本発明の態様のネットワークインタフェースは、ネットワークに接続される他の装置と通信可能な通信手段と、接続される装置における自己の情報を前記他の装置に開示する開示手段と、前記ネットワークに接続されている前記他の装置の情報を検出するネットワークリソース検出手段と、処理を前記ネットワークに接続されている前記他の装置に分散する処理分散手段と、を有することを特徴とする。または、ネットワークに接続される他のプリンタ装置とデータの通信を行う通信手段と、接続されるプリンタ装置に記憶されている自己の情報を、前記ネットワークに接続される前記他のプリンタ装置に開示する開示手段と、
前記ネットワークに接続される前記他のプリンタ装置の情報を検出するネットワークリソース検出手段と、画像データの印刷処理を前記ネットワークに接続される前記他のプリンタ装置に分散する印刷処理分散手段と、を有することを特徴とする。それらのネットワークインタフェースは、カード状に形成されてなることを特徴とする。また、本発明の態様のプリンタ装置は、上述のカード状に形成されているネットワークインタフェースが装着可能なスロット部と、自己の情報を含むネットワーク情報を記憶する記憶部と、を有することを特徴とする。また、本発明の態様のネットワークシステムでは、複数の装置がネットワークにて接続されるネットワークシステムであって、前記複数の装置は、自己の情報を含むネットワーク情報を記憶する記憶部を有し、各々の装置がそれぞれネットワークインタフェースに接続されており、前記ネットワークインタフェースは、前記ネットワークに接続される他の装置と通信可能な通信手段と、接続される装置における自己の情報を前記他の装置に開示する開示手段と、前記ネットワークに接続されている前記他の装置の情報を検出するネットワークリソース検出手段と、処理を前記ネットワークに接続されている前記他の装置に分散する処理分散手段と、を有することを特徴とする。また、更に本発明の態様のネットワークシステムでは、複数のプリンタ装置がネットワークにて接続されるネットワークシステムであって、前記複数のプリンタ装置は、自己の情報を含むネットワーク情報を記憶する記憶部を有し、各々のプリンタ装置がそれぞれネットワークインタフェースに接続されており、前記ネットワークインタフェースは、前記ネットワークに接続される他のプリンタ装置と通信可能な通信手段と、接続されるプリンタ装置における自己の情報を前記他のプリンタ装置に開示する開示手段と、前記ネットワークに接続されている前記他のプリンタ装置の情報を検出するネットワークリソース検出手段と、処理を前記ネットワークに接続されている前記他のプリンタ装置に分散する処理分散手段と、を有することを特徴とする。